(57)【特許請求の範囲】
【請求項１】
装身具本体に互いに対向する一対の装飾物保持部を備え、該保持部の対向面を結ぶ直線を回動中心として回動可能に第一揺動ベース部を支持させ、該第一揺動ベース部に、該第一揺動ベース部の回動中心である直線と交差する向きの直線を回動中心として回動可能に第二揺動ベース部を支持させ、該第二揺動ベース部に装飾物が保持されてなる装身具における装飾物揺動保持機構であって、
前記第一揺動ベース部には、前記装飾物保持部と連結される一対の連結部を有し、前記第一揺動ベース部の前記連結部間は前記第一揺動ベース部の回動中心である直線より下側を通る凹状に形成され、該凹状の部分上に前記第二揺動ベース部及び装飾物が設置されていることを特徴とする装身具における装飾物揺動保持機構。
【請求項２】
前記第一揺動ベース部は、前記連結部間に下向き架橋状に形成された第一揺動ベース部本体と、該第一揺動ベース部本体から外側上方向きに突設された一対の支持腕とを有し、
該一対の支持腕の突出側端部に、前記第二揺動ベース部と連結される部分である第二連結部が備えられ、該第二連結部間に第二揺動ベース部が設置されている前記請求項１に記載の装身具における装飾物揺動保持機構。
【請求項３】
前記第一揺動ベース部の回動中心である直線と、前記第二揺動ベース部の回動中心である直線とが略直交するように前記第二連結部が備えられている前記請求項１又は２の何れか１に記載の装身具における装飾物揺動保持機構。
【発明の詳細な説明】
【技術分野】
【０００１】
本発明は、主として宝石などの装飾物が取り付けられている指輪やネックレスなどの装身具において、装飾物を揺動させて装飾物の存在感を増大させる装飾物揺動保持機構に関する。
【背景技術】
【０００２】
従来、装身具に備え付けられた宝石等の装飾物が揺動可能なものとして、図６〜図７に示す重力バランス指輪がある。
【０００３】
この重力バランス指輪３１は、指輪３２に２つの対向する突部３３，３３を設け、その突部にそれぞれネジ３４，３４を設置し、その突部３３，３３の間に設置された宝石枠３５をネジ３４，３４で挟んで固定しているものである。この宝石枠３５には宝石３６が設置されており、宝石３６を宝石枠３５ごと取り替えることができる。
【０００４】
この宝石枠３５の両端には、先端が尖った小突起３７，３７が備えられ、この小突起３７，３７をネジ３４，３４に当接させて宝石枠３５を設置している。そして、この重力バランス指輪３１は、宝石枠３５と指輪３２の接点が小突起３７，３７の先端のみなので、宝石枠３５が小突起３７，３７間を軸として回動するものである。
【特許文献１】特開２００２−１４２８１７号公報
【発明の開示】
【発明が解決しようとする課題】
【０００５】
しかし、この重力バランス指輪は、宝石を取り替えることができるという点においては便利なものであるが、宝石を揺動し易くさせようとすると、宝石枠を挟むネジを緩める必要があり、そうすると宝石枠が指輪から外れやすくなり、宝石を紛失してしまう恐れが増大するものであった。従って宝石の揺動効果は、余り期待できないものであった。
【０００６】
さらに、この重力バランス指輪は、宝石の回動軸が１つであり、回動方向が一定なため、宝石の動きが単調となり、人を引き付ける魅力に欠けるという問題があった。
【０００７】
そこで、本発明は、このような従来の問題に鑑み、装飾物が装身具から外れ難く、装飾物が様々な方向に揺動自在である装身具における装飾物揺動保持機構を提供することを目的とする。
【課題を解決するための手段】
【０００８】
上述の如き従来の問題を解決し、所期の目的を達成するための請求項１に記載の発明の特徴は、装身具本体に互いに対向する一対の装飾物保持部を備え、該保持部の対向面を結ぶ直線を回動中心として回動可能に第一揺動ベース部を支持させ、該第一揺動ベース部に、該第一揺動ベース部の回動中心である直線と交差する向きの直線を回動中心として回動可能に第二揺動ベース部を支持させ、該第二揺動ベース部に装飾物が保持されてなる装身具における装飾物揺動保持機構であって、前記第一揺動ベース部には、前記装飾物保持部と連結される一対の連結部を有し、該連結部間は前記第一揺動ベース部の回動中心である直線より下側を通る凹状に形成され、該凹状の部分上に前記第二揺動ベース部及び装飾物が設置されていることにある。
【０００９】
請求項２に記載の発明の特徴は、請求項１に記載の構成に加え、前記第一揺動ベース部は、前記連結部間に下向き架橋状に形成された第一揺動ベース部本体と、該第一揺動ベース部本体から外側上方向きに突設された一対の支持腕とを有し、該一対の支持腕の突出側端部に、前記第二揺動ベース部と連結される部分である第二連結部が備えられ、該第二連結部間に第二揺動ベース部が設置されていることにある。
【００１０】
請求項３に記載の発明の特徴は、請求項１又は２に記載の構成に加え、前記第一揺動ベース部の回動中心である直線と、前記第二揺動ベース部の回動中心である直線とが略直交するように、前記第二連結部が備えられていることにある。
【発明の効果】
【００１１】
本発明に係る装身具における装飾物揺動保持機構は、装身具本体に互いに対向する一対の装飾物保持部を備え、保持部の対向面を結ぶ直線を回動中心として回動可能に第一揺動ベース部を支持させ、第一揺動ベース部に、第一揺動ベース部の回動中心である直線と交差する向きの直線を回動中心として回動可能に第二揺動ベース部を支持させ、第二揺動ベース部に装飾物が保持されてなる装身具における装飾物揺動保持機構であって、第一揺動ベース部には、装飾物保持部と連結される一対の連結部を有し、連結部間は第一揺動ベース部の回動中心である直線より下側を通る凹状に形成され、凹状の部分上に第二揺動ベース部及び装飾物が設置されているので、装飾物が様々な方向に容易に揺動され、人目を惹くことができるとともに、装飾物を揺動させるための機構を目立たなくすることができ、より装飾物を際立たせることができる。
【００１２】
さらに、第一揺動ベース部は、連結部間に下向き架橋状に形成された第一揺動ベース部本体と、第一揺動ベース部本体から外側上方向きに突設された一対の支持腕とを有し、一対の支持腕の突出側端部に、第二揺動ベース部と連結される部分である第二連結部が備えられ、その第二連結部間に第二揺動ベース部が設置されていることにより、第一揺動ベース部を好適に、装飾物の下側に隠れるように位置させることができる。また、第二揺動ベース部の設置高さを支持腕の長さ等によって好適に調節できる。
【００１３】
第一揺動ベース部の回動中心である直線と、第二揺動ベース部の回動中心である直線とが略直交するように、第二連結部が備えられていることにより、装飾物が好適に揺動される。
【発明を実施するための最良の形態】
【００１４】
次に、本発明の実施の形態を図１〜図５に基づいて説明する。
【００１５】
図１〜図４は本発明における第一実施例を示している。本実施例における装身具は指輪２１である。この指輪２１は、図１に示すように、装身具本体であるリング状の指輪本体２２と、その指輪本体２２の上部に設けられた互いに対向する一対の装飾物保持部２３，２３とを備え、この装飾物保持部２３，２３間に、この装飾物保持部間を結ぶ直線を回動軸として揺動するように第一揺動ベース部２５を設置し、さらに、この第一揺動ベース部２５に、第一揺動ベース部２５の回動軸と交差する直線を回動軸として揺動するように、第二揺動ベース部２６を設置し、この第二揺動ベース部２６に装飾物２４を設置しているものである。
【００１６】
また、装飾物保持部２３，２３間は、凹状となっており、この凹状の部分に、第一揺動ベース部２５と第二揺動ベース部２６と装飾物２４が設置されている。装飾物保持部２３，２３の上端部は、内向きに突出した形状となっており、装飾物保持部２３，２３の第一揺動ベース部２５が連結される部分の上方を覆うように形成されている。そして、装飾物２４は、装飾物保持部２３，２３の上端部より下方に設置されており、この装飾物保持部２３，２３の上端部により保護されるようになっている。
【００１７】
装飾物保持部２３，２３の第一揺動ベース部２５と連結する部分には、略環状の保持部側小リング２３ａ，２３ａが設置されている。そして、この保持部側小リング２３ａ，２３ａを介して装飾物保持部２３，２３と第一揺動ベース部２５とが連結されている。また、保持部側小リング２３ａ，２３ａは、リングの面が、指輪本体２２のリングの面と略垂直となるように設置されている。
【００１８】
第一揺動ベース部２５は、装飾物保持部２３，２３と連結される一対の連結部である第一連結部を有し、この第一連結部を介して装飾物保持部２３，２３に揺動可能に連結されている。また、第一揺動ベース部２５には、その第一連結部を結ぶ直線と交差する直線上に、一対の連結部である第二連結部を有している。そして、この第二連結部に、第二揺動ベース部２６が連結されている。
【００１９】
第一揺動ベース部２５は、第一連結部間が凹状に形成され、その凹状部分上に第二揺動ベース部２６及び装飾物２４が設置されるようになっている。この凹状部分は、第一揺動ベース部２５の回動中心である直線の下側及び装飾物２４の下側を通るように形成され、指輪２１を上方からみた際に、第一揺動ベース部２５の大部分が装飾物２４の陰に隠れるようになっている。
【００２０】
第一揺動ベース部２５は、下向きに凸な架橋状に形成されている第一揺動ベース部本体２５ｂと、その第一揺動ベース部本体２５ｂに上向きに突設された一対の支持腕２５ｃ，２５ｃを有している。
【００２１】
第一揺動ベース部本体２５ｂは、横長で凹状、即ち、下向きに凸な弓形状に形成されており、その長さ方向両端に、装飾物保持部２３，２３と連結される連結部である第一連結部が備えられている。この第一連結部は、第一揺動ベース部２５の両端に備えられた連係用小リングである第一揺動ベース部側小リング２５ａ，２５ａからなっている。そして、この第一揺動ベース部側小リング２５ａ，２５ａが、装飾物保持部２３，２３に備えられた保持部側小リング２３ａ，２３ａに鎖状に連結されている。
【００２２】
また、第一揺動ベース部本体２５ｂは、図２、図４に示すように、長さ方向両端部から、凹状の底部に向かって二股状に分かれた形状に形成され、略環状となっている。この略環状の部分に囲まれた孔の部分に、装飾物２４や第二揺動ベース部２６が挿入され、揺動できるようになっている。
【００２３】
また、この第一揺動ベース部本体２５ｂは、その幅が装飾物２４の幅より小さく形成されており、第一揺動ベース部本体２５ｂの上側に装飾物２４を設置した際に、その装飾物２４の下側に、図３に示すように、第一揺動ベース部本体２５ｂの大部分が隠れるようになっている。そして、この第一揺動ベース部本体２５ｂには、第二揺動ベース部２６を揺動可能に支持する一対の支持腕２５ｃ，２５ｃが設けられている。
【００２４】
この一対の支持腕２５ｃ，２５ｃは、第一揺動ベース部本体２５ｂの長さ方向略中央付近に、即ち第一揺動ベース部本体２５ｂの底部に、第一揺動ベース部本体２５ｂの幅方向両側から外向きに斜め上方に突出するように形成されている。また、支持腕２５ｃ，２５ｃはそれぞれ、第一揺動ベース部本体２５ｂから突出した２本の脚部と、その２本の脚部の突出端部に掛け渡されるように設置された連結用小リング２５ｄからなっている。この連結用小リング２５ｄが第一揺動ベース部２５の第二連結部を構成しており、この連結用小リング２５ｄ，２５ｄを介して第二揺動ベース部２６が第一揺動ベース部２５に揺動可能に連結されている。第二揺動ベース部２６は、第一揺動ベース部２５と連結される部分である一対の連結部を有し、その連結部間に装飾物２４が設置されている。
【００２５】
この第二揺動ベース部２６は、装飾物２４が着座される環状をした着座リング２６ｂと、その装飾物２４を把持する一対の装飾物把持用爪２６ｃ，２６ｃを有している。この装飾物把持用爪２６ｃ，２６ｃは、鉤状をなし、着座リング２６ｂから上方に突出し、その鈎状部分で装飾物２４を把持している。
【００２６】
また第二揺動ベース部２６は、着座リング２６ｂから垂下された略Ｖ字形の錘用垂下部２６ｄを有しており、この錘用垂下部２６ｄは、そのＶ字形の上側両端部が、装飾物把持用爪２６ｃ，２６ｃと一体に形成されている。また、この錘用垂下部２６ｄは、第二揺動ベース部２６とそこに設置された装飾物２４の全体の重心が、第二揺動ベース部２６の回動軸である直線より下側となるように所定の重量を有している。
【００２７】
さらに、着座リング２６ｂには、第一揺動ベース部２５との連結部として一対の連係用小リングである第二揺動ベース部側小リング２６ａ，２６ａが外向きに突出するように設置されている。この第二揺動ベース部側小リング２６ａ，２６ａが、支持腕２５ｃ，２５ｃの突出端部に設置されている連結用小リング２５ｄ，２５ｄと鎖状に嵌め合わされて連結され、第二揺動ベース部２６と第一揺動ベース部２５が連結されるようになっている。この一対の第二揺動ベース部側小リング２６ａ，２６ａは、第二揺動ベース部２６の回動軸である直線上であって、間に装飾物２４を挟んで対称な位置に設置されている。そして、この第二揺動ベース部２６に装飾物２４が固定されている。
【００２８】
装飾物２４は、上部が略円錐台状に形成され、下部は、下方が先細り状の略円錐形状に形成されている。そして、上部側面が装飾物把持用爪２６ｃ，２６ｃによって抑えられ、下部は第二揺動ベース部２６の着座リング２６ｂ及び錘用垂下部２６ｄに当接させるようにして、装飾物２４が第二揺動ベース部２６に固定されている。
【００２９】
次に、本発明における第二実施例を図５に示す。本実施例においては、第二揺動ベース部２７に装飾物２８，２８……を複数設置している。また、第一揺動ベース部２９の支持腕２９ａ，２９ａは、それぞれ、第一揺動ベース部２９から突出した２本の脚部と、その２本の脚部の突出端部に掛け渡されるように設置された棒状部分を有し、この棒状部分を第二揺動ベース部２７の第二揺動ベース部側小リング２７ａ，２７ａに挿通させて、第一揺動ベース部２９と第二揺動ベース部２７を連結している。
【００３０】
尚、上述の実施例において、第一揺動ベース部本体は、略環状となっているが、環状でなくてもよい。即ち、凹状部分を有し、その凹状部分の底より上方に装飾物及び第二揺動ベース部が設置されるようになっていればよい。同様に、第二揺動ベース部も、環状の着座リングを有しなくても良い。この場合、着座リングの代わりに、装飾物把持用爪とともに装飾物を固定する装飾物固定部を設ける。尚、装飾物及び第二揺動ベース部は、その一部分が、第一揺動ベース部の底部より下側に突出していてもよい。
【００３１】
また、実施例においては、装身具として指輪を例示しているが、その他装身具として、ネックレス、腕輪、足環、イヤリング、ブローチ等に用いることができる。
【００３２】
さらに、装飾物保持部と第一揺動ベース部の連結構造及び、第一揺動ベース部と第二揺動ベース部の連結構造は、上述のようにリングとリング同士を連結したような構造でもよいし、小リングのリングの孔部分に棒状材を挿入して連結するような構造でもよく、即ち、それぞれ、連結部を結ぶ直線を回動軸として揺動可能となっている連結構造であればよい。
【００３３】
また、装飾物保持部と第一揺動ベース部の連結部分と、第一揺動ベース部と第二揺動ベース部の連結部分は、略同一平面上となるように設けられているが、同一平面状でなくてもよい。
【００３４】
また、第二揺動ベース部に装飾物を設置する際に、装飾物と第二揺動ベース部との間に、さらに、他の揺動機構を介在させてもよい。
【００３５】
尚、装飾物保持部に揺動可能に保持されている部分全体、即ち第一揺動ベース部と第二揺動ベース部と装飾物の全体である揺動体は、その重心が第一揺動ベース部の回動中心である直線よりも低くなるように設置されている。また、第二揺動ベース部と装飾物は、その合わせた全体の重心が、第二揺動ベース部の回動中心である直線より低くなるように設置されている。
【００３６】
また、第二揺動ベース部は、着座リングを設けずに、把持用爪と錘用垂下部からなる部分に、第一揺動ベースとの連結部を設けてもよい。
【００３７】
また、支持腕の連結部を装飾物保持部と連結し、第一揺動ベース部本体の長さ方向端部に備えられている連結部と第二揺動ベース部を連結するようにしてもよい。
【図面の簡単な説明】
【００３８】
【図１】本発明に係る装身具の装飾物揺動保持機構の第一実施例を示す正面図である。
【図２】同上の装飾物を設置した第二揺動ベース部を第一揺動ベース部に設置した状態を示す側面図である。
【図３】同上の平面図である。
【図４】同上における第一揺動ベース部を示す平面図である。
【図５】（ａ）本発明における第二実施例を示す平面図である。（ｂ）同上の正面図である。
【図６】従来の重力バランス指輪を示す斜視図である。
【図７】同上の部分断面図である。
【符号の説明】
【００３９】
２１  指輪
２２  指輪本体
２３  装飾物保持部
２３ａ  保持部側小リング
２４  装飾物
２５  第一揺動ベース部
２５ａ  第一揺動ベース部側小リング
２５ｂ  第一揺動ベース部本体
２５ｃ  支持腕
２５ｄ  連結用小リング
２６  第二揺動ベース部
２６ａ  第二揺動ベース部側小リング
２６ｂ  着座リング
２６ｃ  装飾物把持用爪
２６ｄ  錘用垂下部
２７  第二揺動ベース部
２７ａ  第二揺動ベース部側小リング
２８  装飾物
２９  第一揺動ベース部
２９ａ  支持腕
３１  重力バランス指輪
３２  指輪
３３  突部
３４  ネジ
３５  宝石枠
３６  宝石
３７  小突起
【図１】
0004631101.tif 000002
【図２】
0004631101.tif 000003
【図３】
0004631101.tif 000004
【図４】
0004631101.tif 000005
【図５】
0004631101.tif 000006
【図６】
0004631101.tif 000007
【図７】
0004631101.tif 000008